(57)【要約】【課題】部品点数を増加させることなく、簡易な制御方法で、基準電圧の変動による影響下で録音した音声の再生開始時における雑音出力を防止できる音声入力装置を提供する。【解決手段】本発明は、アナログ音声信号をデジタル音声信号に変換するＡ／Ｄ変換部４と、ほぼ無音状態下においてＡ／Ｄ変換部４から出力される信号の基準電圧値と所定電圧値との差分電圧値を記憶する記憶部と、録音時にＡ／Ｄ変換部４から出力されるデジタル音声信号を前記記憶部に記憶されている差分電圧値によって補正する補正部と、を有することを特徴とする。【選択図】  図３
2004336520.tif 000002
【特許請求の範囲】
【請求項１】
アナログ音声信号をデジタル音声信号に変換するＡ／Ｄ変換部と、ほぼ無音状態下において前記Ａ／Ｄ変換部から出力される信号の基準電圧値と所定電圧値との差分電圧値を記憶する記憶部と、録音時に前記Ａ／Ｄ変換部から出力されるデジタル音声信号を前記記憶部に記憶されている差分電圧値によって補正する補正部と、を有することを特徴とする音声入力装置。
【発明の詳細な説明】
【０００１】
【発明の属する技術分野】
本発明は、Ａ／Ｄ変換後のデジタル音声信号の補正を行う音声入力装置に関する。
【０００２】
【従来の技術】
図１（Ａ）は、一般的な音声入力装置の内部構成を示すブロック図である。図１（Ａ）に示す音声入力装置は、入力された音声データをマイク１によりアナログ音声信号に変換し、そのアナログ音声信号をアンプ３で増幅した後、Ａ／Ｄ変換部４でサンプリング及び量子化することでデジタル信号に変換する。
【０００３】
上記回路において、Ａ／Ｄ変換部４に入力されるアナログ音声信号の基準電圧は一定の値に維持される必要があり、例えば、音声信号に混入している雑音成分の影響等により基準電圧値が変動している状態下では、無音信号はＡ／Ｄ変換部での変換後、量子化ノイズを内包したデジタルデータのまま記録されてしまい、その録音データの再生開始時に雑音が出力されてしまうことになる。
【０００４】
この対策として、図１（Ｂ）に示すようなコンデンサＣ３、抵抗Ｒ２、Ｒ３からなる回路をアンプ３とＡ／Ｄ変換部４との間に介在させ、基準電圧を安定させることにより、再生時の雑音を防止する方法がある。
【０００５】
しかし、音声入力装置を小型機器で使用する場合等においては、省スペース化が望まれるため、搭載する部品点数の増加は好ましくない。
【０００６】
これに対し、この基準電圧値の変動による影響をＡ／Ｄ変換部４の後段で、ＣＰＵ等の制御部により補正し、補正後の信号（デジタルデータ）を記録する音声入力装置が特許文献１で開示されている。
【０００７】
【特許文献１】
特開２０００−１３８５８３号公報
【０００８】
特許文献１で開示されている音声入力装置は、高分解能の量子化を行うＡ／Ｄ変換部の後段に、情報記憶部、信号処理部及びこれらを制御する制御部を備え、録音時において、まず無音状態でのＡ／Ｄ変換部の出力信号の基準電圧値が情報記憶部に記憶され、以後、Ａ／Ｄ変換部で変換されたデジタル音声データが、制御部からの制御信号に従いサンプリングされ、そのサンプリングした基準電圧と情報記憶部に記憶している無音状態の基準電圧との変動量が情報記憶部に保存される。信号処理部は、制御部からの制御信号に従い、Ａ／Ｄ変換部で変換されたデジタル音声データを情報記憶部に保存されている変動量を用いて補正し、低分解能のデジタル音声データを生成する。
【０００９】
【発明が解決しようとする課題】
しかしながら、上記従来の音声入力装置は、Ａ／Ｄ変換部以後の処理が複雑であるため、それを制御できるだけの処理能力を持つ高性能なＣＰＵ等を搭載する必要がある。したがって、音声入力を付加的な機能として備えるデジタルカメラ等の小型機器においては使用に適していないという問題がある。
【００１０】
本発明は、上記従来技術の問題点を解決するものであり、部品点数を増加させることなく、更により簡易な制御方法で、基準電圧の変動による影響下で録音した音声の再生開始時における雑音出力を防止できる音声入力装置を提供することを目的とする。
【００１１】
【課題を解決するための手段】
上記課題を解決するために、本発明の音声入力装置は、下記の構成を有する。請求項１に記載の発明は、アナログ音声信号をデジタル音声信号に変換するＡ／Ｄ変換部と、ほぼ無音状態下において前記Ａ／Ｄ変換部から出力される信号の基準電圧値と所定電圧値との差分電圧値を記憶する記憶部と、録音時に前記Ａ／Ｄ変換部から出力されるデジタル音声信号を前記記憶部に記憶されている差分電圧値によって補正する補正部と、を有することを特徴とする音声入力装置である。
【００１２】
上記構成からなる発明によれば、予め無音信号の基準電圧値と所定電圧値との差分電圧値を記憶部に記憶しておき、録音時には、補正部が該差分電圧値を用いてＡ／Ｄ変換部から出力されるデジタル音声信号を補正し、補正後の信号が記録装置に記録されるため、音声信号に混入している雑音成分の影響等により基準電圧値が変動している状態で音声を録音しても、再生開始時の無音状態で雑音が出力されてしまう現象を防止できる。
【００１３】
【発明の実施の形態】
以下、本発明に係る音声入力装置の一実施形態について添付図面を参照しながら説明する。
【００１４】
本実施形態における音声入力装置は、図１（Ａ）に示す回路に加え、Ａ／Ｄ変換部４から出力される無音信号の基準電圧値と所定電圧値との差分電圧値を記憶する記憶部、Ａ／Ｄ変換部４から出力されるデジタル音声信号を前記記憶部に記憶されている差分電圧値によって補正する補正部、及び前記記憶部と前記補正部の制御を行う制御部を有する。
【００１５】
図２は、Ａ／Ｄ変換部４に入力されるアナログ音声信号の波形例を示す図である。Ｄｈは、アナログ音声信号の基準電圧の理想値であり、本実施形態では、電源電圧（Ｖ）の１／２であるものとする。Ｄｏは、ミュートＳＷがＯＮ（無音声入力）の状態において、Ａ／Ｄ変換部４から出力される無音信号の基準電圧値である。前記記憶部には、これらの差分電圧値（Ｄｈ−Ｄｏ）が記憶されている。
【００１６】
次に、本実施形態の音声入力装置の動作について図３を用いて説明する。
【００１７】
図３の（Ａ）は、差分電圧値（Ｄｈ−Ｄｏ）の記憶動作を示すフローチャートであり、（Ｂ）は、録音時における動作を示すフローチャートである。
【００１８】
図３の（Ａ）において、まず、ミュートＳＷ２をＯＮにし、音声入力装置をミュート（無音声入力）状態にする（ステップＳ１１）。そして、当該ミュート状態でＡ／Ｄ変換部４から出力される無音信号の基準電圧値（Ｄｏ）を基準電圧の理想値（Ｄｈ）から減算し（ステップＳ１２）、その値（Ｄｈ−Ｄｏ）を記憶部に記憶する（ステップＳ１３）。しかる後、ミュートＳＷをＯＦＦにして（ステップＳ１４）、差分電圧値（Ｄｈ−Ｄｏ）の記憶動作が完了する。
【００１９】
上記、差分電圧値（Ｄｈ−Ｄｏ）の記憶部への記憶動作については、本実施形態の音声入力装置を搭載した製品（例えば、デジタルカメラ）の出荷時に１回だけ行われるような仕様でも良いし、ユーザが適宜行うことができる仕様にしても良い。
【００２０】
次に、録音時の動作について説明する。  図３の（Ｂ）において、マイク１により入力音声はアナログ音声信号に変換され、更にアンプ３によって増幅された後、Ａ／Ｄ変換部４に入力される（ステップＳ２１）。
【００２１】
Ａ／Ｄ変換部４では、入力されたアナログ音声信号をサンプリング及び量子化して、デジタル音声信号（Ｄｎ）を生成し、補正部に出力する。補正部は、記憶部に記憶されている差分電圧値（Ｄｈ−Ｄｏ）を該デジタル音声信号（Ｄｎ）に加算して（ステップＳ２２）、デジタル音声信号を補正する。したがって、当該補正後のデジタル音声信号の基準電圧値は理想値であるＤｈに近似することになる。そして、この補正されたデジタル音声信号は後段の記録装置に記録される（ステップＳ２３）。
【００２２】
以上のように本実施形態の音声入力装置によれば、予め無音信号の基準電圧値（Ｄｏ）と所定電圧値（Ｄｈ）との差分電圧値（Ｄｈ−Ｄｏ）を記憶部に記憶しておき、録音時には、補正部が該差分電圧値を用いてＡ／Ｄ変換部から出力されるデジタル音声信号（Ｄｎ）を補正し、その補正された信号が記録装置に記録されるため、音声信号に混入している雑音成分の影響等により基準電圧値が変動している状態で音声を録音しても、再生開始時の無音状態で雑音が出力されてしまう現象を防止できる。
【００２３】
【発明の効果】
以上のように、本発明に係る音声入力装置によれば、部品点数を増加させることなく、簡易な制御方法で、基準電圧の変動による影響下で録音した音声の再生開始時に発生する雑音の出力を防止できる。
【図面の簡単な説明】
【図１】一般的な音声入力装置の
（Ａ）内部構成を示すブロック図
（Ｂ）ノイズ対策用回路図
【図２】アナログ音声信号の波形例を示す図
【図３】（Ａ）本発明の一実施形態に係る音声入力装置の差分電圧値（Ｄｈ−Ｄｏ）の記憶動作を示すフローチャート
（Ｂ）同実施形態に係る音声入力装置の録音動作を示すフローチャート
【符号の説明】
１  マイク
２  ミュートＳＷ
３  アンプ
４  Ａ／Ｄ変換部
【図１】
2004336520.tif 000003
【図２】
2004336520.tif 000004
【図３】
2004336520.tif 000005